(57)【要約】【課題】待機電力を低減する空気調和装置を提供する。【解決手段】空気調和装置（1）には、室内機（20）に接続されたリモコン（30）に、表示部（34）、表示設定部（39）、及び表示部側リレー（37）が設けられている。表示設定部（39）では、サスペンド状態中における表示部（34）のオン／オフ状態がユーザによって予め設定される。表示部側リレー（37）では、表示設定部（39）の設定内容に基づいて、サスペンド状態中の表示部（34）への電力供給がオン／オフされる。【選択図】図２
2013137113.tif 000002
【特許請求の範囲】
【請求項１】
室内機（20）、室外機（10）、及びワイヤードリモコン（30）を備え、交流電源（50）から上記室内機（20）及び室外機（10）へ電力が供給される運転状態と、上記交流電源（50）から上記室内機（20）へ電力が供給され、且つ上記室外機（10）への電力供給が遮断される待機状態との間で移行可能な空気調和装置であって、
上記ワイヤードリモコン（30）は、上記交流電源（50）から上記室内機（20）を介して電力が供給される表示部（34）と、待機状態中における上記表示部（34）のオン／オフ状態をユーザが予め設定する設定部（39）と、該設定部（39）の設定内容に基づいて、上記表示部（34）への電力供給をオン／オフする切換部（37）とを有している
ことを特徴とする空気調和装置。
【請求項２】
請求項１において、
上記ワイヤードリモコン（30）は、上記室内機（20）から供給された電力を上記表示部（34）へ供給する電力供給部（32）を有し、
上記切換部（37）は、上記設定部（39）の設定内容に基づいて、上記電力供給部（32）から上記表示部（34）への電力供給をオン／オフする
ことを特徴とする空気調和装置。
【請求項３】
請求項１または２において、
上記ワイヤードリモコン（30）は、操作ボタンを有し、上記切換部（37）がオフされている場合に、上記操作ボタンを押すことで、該操作ボタンによる通常動作よりも優先して上記切換部（37）をオンするように構成されている
ことを特徴とする空気調和装置。
【請求項４】
請求項１乃至３の何れか１項において、
上記ワイヤードリモコン（30）は、上記切換部（37）がオフされている場合に、上記通信部（33）がエラー情報を受信することで、上記切換部（37）をオンして該エラー情報を表示するように構成されている
ことを特徴とする空気調和装置。
【発明の詳細な説明】
【技術分野】
【０００１】
本発明は、室外機、室内機、及びワイヤードリモコンを備えた空気調和装置に関し、特に、待機電力の低減策に係るものである。
【背景技術】
【０００２】
従来より、室外機と室内機を備えた空気調和装置が知られている。例えば、特許文献１に開示の空気調和装置では、室外機と室内機とが、交流電源に繋がる一対の電力配線と一本の信号線によって互いに接続されている。そして、運転時に、交流電源から室外機と室内機へ電力が供給されると共に、室内機と室外機との間で信号が送受信される。
【０００３】
また、この空気調和装置には、室外機側の制御部やインバータに繋がる室外機側の電源回路に開閉リレーが設けられている。この開閉リレーは、空気調和装置が運転状態から待機状態へ移行する際にオフされる。そのため、空気調和装置では、待機時に、室外機への電力供給が遮断されて室内機にのみ電力が供給されることとなり、待機時における消費電力（待機電力）が低減される。
【先行技術文献】
【特許文献】
【０００４】
【特許文献１】特開２０１０−５４０６５号公報
【発明の概要】
【発明が解決しようとする課題】
【０００５】
ところで、特許文献１の空気調和装置では、操作用にワイヤレスリモコンが用いられているが、ワイヤレスリモコン以外にワイヤードリモコンが用いられることがある。ワイヤードリモコンは、通常、室内機に接続され、交流電源から室内機を介して電力が供給される。そのため、ワイヤードリモコンへの電力供給は、待機時においても維持される。
【０００６】
しかし、待機時には、不在の場合を含め、ユーザがリモコン表示を全く見ないことがある。そのような場合、ワイヤードリモコンの表示部に電力を供給しても、その電力は無駄に消費されることとなり、その結果、装置全体の待機電力を十分に低減できなくなるという問題が発生していた。
【０００７】
本発明は、かかる点に鑑みてなされたものであり、ワイヤードリモコンの電力消費の無駄を減らすことで、装置全体の待機電力を低減することを目的としている。
【課題を解決するための手段】
【０００８】
第１の発明は、室内機（20）、室外機（10）、及びワイヤードリモコン（30）を備え、交流電源（50）から上記室内機（20）及び室外機（10）へ電力が供給される運転状態と、上記交流電源（50）から上記室内機（20）へ電力が供給され、且つ上記室外機（10）への電力供給が遮断される待機状態との間で移行可能な空気調和装置を対象としている。そして、上記ワイヤードリモコン（30）は、上記交流電源（50）から上記室内機（20）を介して電力が供給される表示部（34）と、待機状態中における上記表示部（34）のオン／オフ状態をユーザが予め設定する設定部（39）と、該設定部（39）の設定内容に基づいて、上記表示部（34）への電力供給をオン／オフする切換部（37）とを有していることを特徴とする。
【０００９】
上記第１の発明では、待機状態中における表示部（34）のオン／オフ状態が、ユーザによって予め設定される。そして、オンと設定された場合は、待機状態中に表示部（34）へ電力が供給されて表示部（34）がオンされ、オフと設定された場合は、待機状態中に表示部（34）への電力供給が遮断されて表示部（34）がオフされる。そのため、表示部（34）がオフされる間は、ワイヤードリモコン（30）の消費電力が低減される。表示部（34）は、ワイヤードリモコン（30）の中でも、特に消費電力が大きい。そのため、表示部（34）をオフすることで、ワイヤードリモコン（30）の消費電力が大幅に低減される。
【００１０】
第２の発明は、上記第１の発明において、上記ワイヤードリモコン（30）は、上記室内機（20）から供給された電力を上記表示部（34）へ供給する電力供給部（32）を有し、上記切換部（37）は、上記設定部（39）の設定内容に基づいて、上記電力供給部（32）から上記表示部（34）への電力供給をオン／オフすることを特徴とする。
【００１１】
上記第２の発明では、室内機（20）から電力供給部（32）へ電力が供給され、電力供給部（32）から表示部（34）への電力供給が、切換部（37）によってオン／オフされる。そのため、待機状態中でも、室内機（20）から電力供給部（32）への電力供給は維持され、待機状態中に動作する他の部分へは、この電力供給部（32）から電力が供給される。
【００１２】
第３の発明は、上記第１または第２の発明において、上記ワイヤードリモコン（30）は、操作ボタンを有し、上記切換部（37）がオフされている場合に、上記操作ボタンを押すことで、該操作ボタンによる通常動作よりも優先して上記切換部（37）をオンするように構成されていることを特徴とする。
【００１３】
上記第３の発明では、表示部（34）がオフ状態の時に、ユーザが操作ボタンを押すと、その操作ボタンによる通常動作（例えば、運転ボタンによる運転開始動作）は行われず、切換部（37）がオンされて表示部（34）がオンされる。その後、表示部（34）がオン状態の時に、ユ−ザが操作ボタンを押すと、通常動作が行われる。そのため、ユーザは、通常動作を行う前（例えば、運転開始前）に表示部（34）を一旦オンして、表示内容を確認することができる。
【００１４】
第４の発明は、上記第１乃至第３の何れか１の発明において、上記ワイヤードリモコン（30）は、上記切換部（37）がオフされている場合に、上記通信部（33）がエラー情報を受信することで、上記切換部（37）をオンして該エラー情報を表示するように構成されていることを特徴とする。
【００１５】
上記第４の発明では、表示部（34）がオフ状態の時に、通信部（33）がエラー情報を受信すると、切換部（37）がオンされてそのエラー情報が表示部（34）に表示される。そのため、ユーザはエラー発生時にエラー情報を確認することができる。
【発明の効果】
【００１６】
本発明によれば、待機状態中における表示部（34）のオン／オフ状態をユーザが予め設定し、オンと設定した場合は、待機状態中に切換部（37）をオンして表示部（34）をオンし、オフと設定した場合は、待機状態中に切換部（37）をオフして表示部（34）をオフするようにした。これにより、ワイヤードリモコン（30）では、表示部（34）がオフされている間は、消費電力（待機電力）を大幅に低減することができ、その結果、空気調和装置（1）全体の待機電力を低減することができる。
【００１７】
第２の発明によれば、待機状態中に、室内機（20）から電力供給部（32）へ電力を供給し、その電力供給部（32）から表示部（34）への電力供給を切換部（37）によってオン／オフするようにした。これにより、待機状態中に動作する他の部分へは、電力供給部（32）から電力を供給することができ、待機状態中の必要動作を確保することができる。
【００１８】
第３の発明によれば、表示部（34）がオフ状態の時に操作ボタンが押された場合は、その操作ボタンによる通常動作を行わず、表示部（34）をオンするようにした。これにより、ユーザは、通常動作前に表示部（34）を一旦オンして表示内容を確認することができ、誤操作を防止することができる。
【００１９】
第４の発明によれば、表示部（34）がオフ状態の時にエラー情報を受信した場合は、表示部（34）をオンしてエラー情報を表示するようにした。これにより、ユーザはエラー発生時にエラー情報を即座に入手することができる。
【図面の簡単な説明】
【００２０】
【図１】図１は、本実施形態に係る空気調和装置の電装系統のブロック図（サスペンド状態）である。
【図２】図２は、本実施形態に係るリモコンのブロック図である。
【図３】図３は、本実施形態における空気調和装置の状態遷移図である。
【図４】図４は、平滑コンデンサに充電される回路が形成された時点の各リレーの状態を示す図である。
【図５】図５は、充電状態への移行が完了した後の各リレーの状態を示す図である。
【図６】図６は、ウエイト状態における各リレーの状態を示す図である。
【図７】図７は、運転状態における各リレーの状態を示す図である。
【発明を実施するための形態】
【００２１】
以下、本発明の実施形態について図面を参照しながら説明する。なお、以下の実施形態は、本質的に好ましい例示であって、本発明、その適用物、あるいはその用途の範囲を制限することを意図するものではない。
【００２２】
《発明の実施形態》
〈全体構成〉
図１は、本発明の実施形態にかかる空気調和装置（1）の電装系統のブロック図である。空気調和装置（1）は、図１に示すように、室外機（10）、室内機（20）、及びリモコン（30）を備えている。なお、図示は省略するが、室外機（10）は、電動圧縮機、室外熱交換器、室外ファン、膨張弁などの機器が設けられ、室内機（20）には、室内熱交換器、室内ファンなどの機器が設けられている。空気調和装置（1）では、これらの機器によって、冷凍サイクルを行う冷媒回路（図示は省略）が構成されている。
【００２３】
空気調和装置（1）では、室外機（10）で、商用交流電源（50）から交流（この例では２００Ｖの三相交流）を受電して室外機（10）内の回路や前記電動圧縮機の電力として用いる他、その三相交流の２相分を室内機（20）に給電するようになっている。また、室外機（10）と室内機（20）との間では、室内機（20）側から室外機（10）を制御するため等の目的で、信号の通信を行うようになっている。そのため、空気調和装置（1）では、商用交流電源（50）（以下、単に交流電源とも言う）からの交流電力を送電する電力配線（L）と、前記信号を伝送する信号線（S）と、前記交流電力の送電と前記信号の伝送に共用する共通線（N）との３線（内外配線）が室外機（10）と室内機（20）との間に設けられている。
【００２４】
この例では、電力配線（L）は、室外機（10）において交流電源（50）のＲ相に接続され、共通線（N）は、室外機（10）において交流電源（50）のＳ相に接続されている。すなわち、室内機（20）は、交流電源（50）のＲ相及びＳ相に接続されて単相交流が供給されている。信号線（S）は、前記信号の送受信の他に、後述するように、交流電力の送電にも使用する。そのため、信号線（S）は、送電電力に応じた電流容量を有する配線部材を採用している。本実施形態では、電力配線（L）や共通線（N）と同じ配線部材を信号線（S）に用いている。
【００２５】
〈室外機（10）〉
室外機（10）は、電装系統として、第１室外側電源回路（14）、第２室外側電源回路（12）、室外機伝送回路（11）、室外側制御回路（13）、リレー（K13R,K14R,K15R）を備えている。
【００２６】
−第１室外側電源回路（14）−
第１室外側電源回路（14）は、交流電源（50）から受電した３相交流を直流に変換し、いわゆるインテリジェントパワーモジュール（Intelligent Power Module、以下、ＩＰＭと称する）や室外ファンモータに供給する。なお、ＩＰＭは、入力された直流を所定の周波数及び電圧の交流に変換し、前記電動圧縮機のモータに給電する。この例では、第１室外側電源回路（14）は、ノイズフィルタ（14a）、２つのメインリレー（14b）、２つのダイオードブリッジ回路（14c）、リアクトル（14d）、及び平滑コンデンサ（14e）を備えている。
【００２７】
ノイズフィルタ（14a）は、コンデンサとコイルで形成されている。２つのメインリレー（14b）は、前記三相交流のＲ相、Ｔ相の供給ラインにそれぞれ設けられている。これらのメインリレー（14b）は、いわゆるＡ接点リレーで構成されている。詳しくは、メインリレー（14b）は、ひとつの固定接点と、ひとつの可動接点とを有し、該メインリレー（14b）のコイルに通電すると、これらの接点が接続状態（オン）になる。２つのダイオードブリッジ回路（14c）のうち、一方は、前記三相交流のＲ相及びＳ相を入力とし、もう一方は、前記三相交流のＳ相及びＴ相を入力とし、入力された交流をそれぞれ全波整流する。これらのダイオードブリッジ回路（14c）の出力は、リアクトル（14d）を介して平滑コンデンサ（14e）に入力され、平滑コンデンサ（14e）で平滑化される。平滑コンデンサ（14e）で平滑化された直流は、前記ＩＰＭや室外ファンモータに供給される。
【００２８】
−第２室外側電源回路（12）−
第２室外側電源回路（12）は、前記三相交流のＲ相及びＳ相の２相を直流（この例では５Ｖ）に変換し、室外側制御回路（13）に供給する。この例では、第２室外側電源回路（12）は、ダイオードブリッジ回路（12a）、平滑コンデンサ（12b）、及びスイッチング電源（12c）を備えている。ダイオードブリッジ回路（12a）は、一方の入力が、後に詳述するリレー（K13R）に接続され、もう一方の入力が、前記三相交流のＳ相に接続されている。ダイオードブリッジ回路（12a）の出力は、平滑コンデンサ（12b）で平滑化された後に、スイッチング電源（12c）に入力されている。スイッチング電源（12c）は、例えばＤＣ-ＤＣコンバータで構成され、入力された直流電圧を所定の電圧（５Ｖ）に変換して室外側制御回路（13）に出力する。
【００２９】
−室外機伝送回路（11）−
室外機伝送回路（11）は、室内機伝送回路（21）との間で信号の通信を行う。この通信では、信号線（S）と共通線（N）との間の電位差に基づいて、ハイレベル及びローレベルの２値のデジタル信号の通信を行う。室内機伝送回路（21）内の通信回路（図示は省略）は、一端が共通線（N）に接続され、通信回路の他端はリレー（K14R）を介して信号線（S）に接続されている。
【００３０】
−リレー（K13R）−
リレー（K13R）は、第２室外側電源回路（12）への交流供給の経路を切り替えるリレーである。リレー（K13R）は、いわゆるＣ接点リレーで構成されている。詳しくは、リレー（K13R）は、２つの固定接点と、ひとつの可動接点を有し、該リレー（K13R）のコイルに通電されていない場合は、一方の固定接点（ノーマルクローズ接点とよぶ）と可動接点とが接続され、該コイルに通電されると、もう一方の固定接点（ノーマルオープン接点とよぶ）と可動接点とが接続される。リレー（K13R）の切換え（コイルへの通電の有無）は、室外側制御回路（13）が制御する。
【００３１】
この例では、リレー（K13R）の可動接点は、ダイオードブリッジ回路（12a）の入力に接続されている。また、ノーマルクローズ接点は、信号線（S）に接続され、ノーマルオープン接点は、前記三相交流のＲ相に接続されている。すなわち、リレー（K13R）のコイルに通電されていない場合は、ノーマルクローズ接点と可動接点とが接続されて、ダイオードブリッジ回路（12a）の一方の入力は信号線（S）に接続される。リレー（K13R）のコイルに通電されると、可動接点とノーマルオープン接点とが接続されて、第２室外側電源回路（12）のダイオードブリッジ回路（12a）に交流が入力される状態になる。
【００３２】
−リレー（K14R）−
リレー（K14R）は、信号線（S）と室外機伝送回路（11）との接続及び非接続を切り替えるリレーである。リレー（K14R）は、いわゆるＡ接点リレーで構成され、そのコイルに通電すると、固定接点と可動接点とがオン状態になる。リレー（K14R）のオンオフは、室外側制御回路（13）が制御する。この例では、リレー（K14R）は、可動接点が信号線（S）に接続され、もう固定接点が室外機伝送回路（11）内の通信回路（図示は省略）の一端に接続されている。勿論、Ａ接点リレーでは、入力する信号等と各接点の対応関係は逆にしてもよい。
【００３３】
−リレー（K15R）−
リレー（K15R）は、室外機伝送回路（11）への電力供給の有無を切り替えるリレーである。リレー（K15R）は、いわゆるＡ接点リレーで構成されている。リレー（K15R）は、一方の接点が室外機伝送回路（11）の電源供給ノードに接続され、もう一方の接点が、前記三相交流のＲ相に接続されている。リレー（K15R）をオンにすれば、室外機伝送回路（11）は給電され、リレー（K15R）をオフにすれば室外機伝送回路（11）への給電が断たれる。リレー（K15R）のオンオフは、室外側制御回路（13）が制御する。
【００３４】
−室外側制御回路（13）−
室外側制御回路（13）は、マイクロコンピュータと、それを動作させるプログラムを格納したメモリーを含んでいる（図示は省略）。室外側制御回路（13）は、例えば室外機伝送回路（11）が室内機伝送回路（21）から受信した信号に応じて前記電動圧縮機等の制御を行う他、室外機（10）の起動時の制御も行う。室外側制御回路（13）は、空気調和装置（1）がサスペンド状態の場合には、電力供給が断たれて動作を停止する。
【００３５】
〈室内機（20）〉
室内機（20）は、電装系統として、室内側電源回路（22）、室内機伝送回路（21）、室内側制御回路（23）、リレー（K2R）、第１ダイオード（D1）、及び第２ダイオード（D2）を備えている。
【００３６】
−室内側電源回路（22）−
室内側電源回路（22）は、ノイズフィルタ（22a）、ダイオードブリッジ回路（22b）、平滑コンデンサ（22c）、及びスイッチング電源（22d）を備えている。室内側電源回路（22）は、電力配線（L）及び共通線（N）を介して交流電源（50）から供給された交流を直流（この例では５Ｖの直流）に変換し、室内側制御回路（23）に供給する。
【００３７】
この例では、ノイズフィルタ（22a）は２つのコイルで形成されている。ダイオードブリッジ回路（22b）は、ノイズフィルタ（22a）を介して電力配線（L）及び共通線（N）から入力された交流を全波整流する。平滑コンデンサ（22c）は、例えば電解コンデンサで形成され、ダイオードブリッジ回路（22b）の出力を平滑化する。スイッチング電源（22d）は、例えばＤＣ-ＤＣコンバータなどで構成され、平滑コンデンサ（22c）が平滑化した直流を所定の電圧（５Ｖ）に変換して室内側制御回路（23）に出力する。
【００３８】
−室内機伝送回路（21）−
室内機伝送回路（21）は、既述の通り、室外機伝送回路（11）との間で信号の通信を行う。この通信では、信号線（S）と共通線（N）との間の電位差に基づいて、デジタル信号の通信を行うので、室内機伝送回路（21）の通信回路の一端は、第２ダイオード（D2）を介して信号線（S）に接続され、通信回路の他端は共通線（N）に接続されている。
【００３９】
−リレー（K2R）、第１及び第２ダイオード（D1,D2）−
リレー（K2R）は、いわゆるＡ接点リレーで構成されている。本実施形態では、リレー（K2R）と第１ダイオード（D1）は、室内機（20）内に設けられ、電力配線（L）と信号線（S）との間に直列接続されている。より詳しくは、リレー（K2R）の可動接点は、電力配線（L）と接続され、リレー（K2R）の固定接点は、第１ダイオード（D1）のカソードに接続されている。そして、第１ダイオード（D1）のアノードは信号線（S）に接続されている。
【００４０】
リレー（K2R）は、電力配線（L）と信号線（S）間のオンオフを切り替えるスイッチとして機能する。リレー（K2R）のオンオフは、室内側制御回路（23）が制御する。また、第１ダイオード（D1）は、室内機伝送回路（21）へ流入する方向の交流電流を阻止する。なお、第１ダイオード（D1）とリレー（K2R）の位置関係は逆にしてもよい。すなわち、第１ダイオード（D1）のカソードを電力配線（L）に接続するとともに、第１ダイオード（D1）のアノードをリレー（K2R）の一方の接点に接続し、リレー（K2R）のもう一方の接点を信号線（S）に接続するようにしてもよい。
【００４１】
第２ダイオード（D2）のアノードは、第１ダイオード（D1）と信号線（S）の接続ノード（ND1）に接続され、カソードは、室内機伝送回路（21）における信号入力ノード（ND2）に接続されている。第２ダイオード（D2）は、室内機伝送回路（21）から流出する方向の交流電流を阻止する。空気調和装置（1）では共通線（N）が交流電源（50）のＳ相に接続されているので、室内機伝送回路（21）と室外機伝送回路（11）との通信信号には、該Ｓ相の交流が第２ダイオード（D2）で半波整流されて重畳されることになる。
【００４２】
−室内側制御回路（23）−
室内側制御回路（23）は、マイクロコンピュータと、それを動作させるプログラムを格納したメモリーとを有し（図示は省略）、室内側電源回路（22）から受電して、空気調和装置（1）の運転状態を制御する。この室内側制御回路（23）は、Ｉ／Ｆ回路（24）を備えている。
【００４３】
−Ｉ／Ｆ回路（24）−
Ｉ／Ｆ回路（24）は、図２に示すように、一対の伝送線（31）を介してリモコン（30）に接続されており、リモコン（30）へ給電すると共に、リモコン（30）との間で信号を送受信する。
【００４４】
〈リモコン（30）〉
リモコン（30）は、伝送線（31）を介して室内機（20）に接続されており、本発明のワイヤードリモコンを構成している。このリモコン（30）は、電装系統として、電力供給部（32）、通信部（33）、表示部（34）、通信部側リレー（36）、表示部側リレー（37）、操作部（38）、及び制御部（41）を備えている。
【００４５】
−電力供給部（32）−
電力供給部（32）は、伝送線（31）を介して室内機（20）のＩ／Ｆ回路（24）に接続され、さらに、通信部（33）、表示部（34）、及び制御部（41）にそれぞれ接続されている。この電力供給部（32）は、Ｉ／Ｆ回路（24）から供給される電力を直流の電力に変換して、各部（33,34,41）へそれぞれ供給する。
【００４６】
−通信部（33）−
通信部（33）は、電力供給部（32）と並列に、伝送線（31）に接続され、Ｉ／Ｆ回路（24）との間で信号を送受信する。
【００４７】
−表示部（34）−
表示部（34）は、例えば、液晶表示画面であり、空気調和装置（1）の運転内容やユーザの操作内容を表示する。
【００４８】
−通信部側リレー（36）−
通信部側リレー（36）は、電力供給部（32）と通信部（33）との間に設けられ、電力供給部（32）から通信部（33）への電力供給をオン／オフすることで、通信部（33）をオン／オフする。
【００４９】
−表示部側リレー（37）−
表示部側リレー（37）は、電力供給部（32）と表示部（34）との間に設けられ、電力供給部（32）から表示部（34）への電力供給をオン／オフすることで、表示部（34）をオン／オフする。この表示部側リレー（37）は、本発明の切換部を構成している。
【００５０】
−操作部（38）−
操作部（38）は、複数の操作ボタンを有し、ユーザの操作内容を信号として制御部（41）に出力するものである。この操作部（38）は、表示設定部（39）と運転ボタン（40）を備えている。
【００５１】
表示設定部（39）では、サスペンド状態中の表示部（34）のオン／オフ状態がユーザによって予め設定され、その設定内容が制御部（41）に出力される。この表示設定部（39）は、本発明の設定部を構成している。
【００５２】
運転ボタン（40）は、空気調和装置（1）の運転を開始または停止するものである。
【００５３】
−制御部（41）−
制御部（41）は、マイクロコンピュータとそれを動作させるプログラムを有し（図示は省略）、例えば、運転開始や運転停止を指令する信号を通信部（33）へ出力したり、２つのリレー（36,37）の開閉制御する。
【００５４】
具体的に、制御部（41）は、通信部側リレー（36）がサスペンド状態中にオフ状態となり、運転状態中にオン状態となるように制御する。さらに、制御部（41）は、表示部側リレー（37）がサスペンド状態中に表示設定部（39）に設定された状態（オン状態またはオフ状態）となり、運転状態中にオン状態となるように制御する。
【００５５】
制御部（41）は、サスペンド状態中、表示部側リレー（37）がオフ状態の時に、ユーザが操作部（38）の何れかの操作ボタンを押すことで、その操作ボタンによる通常動作（運転ボタン（40）の場合は運転開始動作）を開始せず、表示部側リレー（37）をオンする。つまり、表示部側リレー（37）がオフ状態の時は、表示部側リレー（37）のオン動作が操作ボタンによる通常動作よりも優先して行われる。そしてその後、表示部側リレー（37）がオン状態の時に、ユーザが操作ボタンを押すと、制御部（41）はその操作ボタンによる通常動作を開始する。
【００５６】
さらに、制御部（41）は、サスペンド状態中、表示部側リレー（37）がオフ状態の時に、フィルタの交換やドレンポンプの異常等のエラーが発生すると、表示部側リレー（37）を強制的にオンして、表示部（34）にエラー情報を表示させる。
【００５７】
〈空気調和装置（1）の動作〉
図３は、空気調和装置（1）の状態遷移図である。空気調和装置（1）は、以下に説明するサスペンド状態、充電状態、ウエイト状態、及び運転状態の４つの状態を遷移する。
【００５８】
（１）サスペンド状態
サスペンド状態とは、本発明に係る待機状態であり、室内機（20）には電力が供給され、室外機（10）には電力が供給されていない状態である。
【００５９】
本実施形態のサスペンド状態は、一例として、空気調和装置（1）全体として消費電力が最小になる状態となっている。具体的に、本実施形態のサスペンド状態では、室外機（10）は電力を受電してそれを室内機（20）へ供給はするが、内部の各回路や電動圧縮機などには電力が供給されていない状態である。このように、サスペンド状態では、室外機（10）の各回路への電力供給が断たれ、待機電力の低減を図ることができる。
【００６０】
一方、室内機（20）は、消費電力が最小となる状態であり、本実施形態では、室内側制御回路（23）においてリモコン（30）からの信号受信に関わる部分は、室内側電源回路（22）から電力を受けて動作している。
【００６１】
リモコン（30）は、消費電力が最小となる状態であり、少なくとも通信部（33）への電力供給が遮断されている。また、ユーザーによる運転操作の受け付けは可能な状態である。なお、室内機（20）およびリモコン（30）の消費電力（待機電力）の程度はこれに限らない。
【００６２】
（２）充電状態
充電状態とは、室外機（10）では、第２室外側電源回路（12）に充電が開始され、室外機伝送回路（11）と室内機伝送回路（21）の間の信号伝送が開始されるまでの期間の状態をいう。
【００６３】
室内機（20）の電力消費は、サスペンド状態と同様である。
【００６４】
リモコン（30）では、通信部（33）と表示部（34）に電力が供給される。
【００６５】
（３）ウエイト状態
ウエイト状態とは、運転開始時には上記充電状態を抜けた状態であり、運転停止時には運転状態（後述）から遷移する状態であり、何れも、室外機（10）が、即時、運転状態（後述）へ移行可能な状態をいう。ウエイト状態では、室外機伝送回路（11）および室外側制御回路（13）の動作も可能である。特に、運転停止時のウエイト状態（運転状態から遷移するウエイト状態）は、電動圧縮機における冷媒圧力を均圧させるためや、運転開始と運転停止を繰り返すスクジュール運転が設定されている場合などのために設けられており、その時間は例えば１０分である。
【００６６】
尚、室内機（20）及びリモコン（30）の電力消費は、充電状態と同様である。
【００６７】
（４）運転状態
運転状態とは、第１室外側電源回路（14）からＩＰＭ及びファンモータに電力供給されて、電動圧縮機や室外ファンを運転可能、若しくは運転している状態をいう。
【００６８】
リモコン（30）の電力消費は、充電状態と同様である。一方、室内機（20）の電力消費は、室内ファン等が運転状態となるため、前記の各状態よりも増加する。
【００６９】
−運転開始動作−
空気調和装置（1）の運転開始動作では、サスペンド状態から、充電状態、ウェイト状態、運転状態の順に状態が移行する（図３の実線矢印）。以下、サスペンド状態から運転状態までの動作を順に説明する。
【００７０】
<サスペンド状態における電装系統>
まず、サスペンド状態における電装系統の状態を説明する。図１は、サスペンド状態におけるリレーの状態を示している。
【００７１】
室外機（10）では、メインリレー（14b）がオフ状態であり、第１室外側電源回路（14）からＩＰＭ及び室外ファンモータへ電力が供給されない。また、リレー（K14R）及びリレー（K15R）はオフ状態であり、室外機伝送回路（11）は、信号線（S）との接続が断たれるとともに、電力の供給も断たれている。また、リレー（K13R）は、ノーマルクローズ接点と可動接点とが接続された状態であり、第２室外側電源回路（12）のダイオードブリッジ回路（12a）は、一方の入力が信号線（S）に接続されている。この状態では、第２室外側電源回路（12）には通電されず、室外側制御回路（13）への給電も行われない。このように、室外機（10）は、電力供給が遮断されている。
【００７２】
室内機（20）では、リレー（K2R）がオフ状態であり、信号線（S）と電力配線（L）とが電気的に非接続状態である。室内機（20）では、室内側制御回路（23）においてリモコン（30）からの信号受信にかかわる部分は、室内側電源回路（22）から電力を受けて動作している。
【００７３】
リモコン（30）では、通信部側リレー（36）がオフ状態であり、通信部（33）への電力供給が遮断されている。さらに、ユーザが表示設定部（39）に「表示部（34）をオンする」と設定している場合は、表示部側リレー（37）はオン状態であり、表示部（34）に電力が供給され、表示部（34）はオンされている。逆に、ユーザが表示設定部（39）に「表示部（34）をオフする」と設定している場合は、表示部側リレー（37）はオフ状態であり、表示部（34）への電力供給が遮断され、表示部（34）はオフされている。
【００７４】
〈サスペンド状態から充電状態への移行〉
図４は、第２室外側電源回路（12）の平滑コンデンサ（12b）に充電される回路が形成された時点の各リレーの状態を示す図である。また、図５は、充電状態への移行が完了した後の各リレーの状態を示す図である。
【００７５】
（リモコン（30）の表示部（34）がオフされている場合）
ユーザーがリモコン（30）の操作ボタン（運転ボタン（40）を含む）の何れかを押すと、制御部（41）が表示部側リレー（37）をオンし、電力供給部（32）から表示部（34）へ電力が供給される。その後、ユーザが運転ボタン（40）を押すと、制御部（41）が通信部側リレー（36）をオンして、電力供給部（32）から通信部（33）へ電力が供給され、その通信部（33）から室内機（20）へ運転開始信号が送信される。
【００７６】
（リモコン（30）の表示部（34）がオンされている場合）
ユーザーがリモコン（30）の運転ボタン（40）を押すと、制御部（41）が通信部側リレー（36）をオンして、電力供給部（32）から通信部（33）へ電力が供給され、その通信部（33）から室内機（20）へ運転開始信号が送信される。
【００７７】
室内機（20）では、Ｉ／Ｆ回路（24）が運転開始信号を受信すると、室内側制御回路（23）がリレー（K2R）をオンにする。そうすると、前記三相交流のＲ相から、電力配線（L）、リレー（K2R）、第１ダイオード（D1）、信号線（S）、及びリレー（K13R）を介して第２室外側電源回路（12）に到る経路が形成される。これにより、第２室外側電源回路（12）の平滑コンデンサ（12b）が充電される回路が形成される（図４参照）。
【００７８】
室外機（10）では、平滑コンデンサ（12b）が充電されてスイッチング電源（12c）への入力が安定し、スイッチング電源（12c）が規定の直流電圧（この例では５Ｖ）を出力できるようになると、室外側制御回路（13）が起動する。起動した室外側制御回路（13）は、リレー（K13R）のコイルに通電させて、ノーマルオープン接点と可動接点とを接続状態とする。これにより、ダイオードブリッジ回路（12a）の一方の入力は、前記三相交流のＲ相に、室外機（10）内の送電経路を介して接続される。すなわち、室外側制御回路（13）は、信号線（S）を経由せずに交流電源（50）から電力供給された状態に切り換わる（図５参照）。こうして、サスペンド状態から充電状態への移行が完了する。
【００７９】
〈充電状態からウエイト状態への移行〉
図６は、ウエイト状態への移行完了時における各リレーの状態を示す図である。室内機（20）では、リレー（K2R）をオンにしてから所定の時間（室外側制御回路（13）が起動するのに十分な時間）が経過した後に、リレー（K2R）をオフにする。これにより、信号線（S）を信号の送受信に使用できるようになる。
【００８０】
室外機（10）では、リレー（K2R）がオフになったのを見計らって、室外側制御回路（13）は、リレー（K15R）をオンにし、室外機伝送回路（11）に電力が供給された状態にするとともに、リレー（K14R）をオンにする。これにより、室外機伝送回路（11）内の通信回路が、信号線（S）及び共通線（N）を介して室内機伝送回路（21）と接続され、室内機伝送回路（21）と通信可能な状態になる。これで、空気調和装置（1）は、前記充電状態を抜け、即時運転状態へ移行可能な状態（すなわちウエイト状態）となる。
【００８１】
〈ウエイト状態から運転状態への移行〉
図７は、運転状態における各リレーの状態を示す図である。ウエイト状態から運転状態への移行する際には、室外側制御回路（13）は、２つのメインリレー（14b）をオンにする。これにより、第１室外側電源回路（14）によって、ＩＰＭや室外ファンモータに電力が供給されて、電動圧縮機などが運転状態になり、例えば冷房が行われる。
【００８２】
−運転停止動作−
空気調和装置（1）の運転停止動作では、運転状態から、ウェイト状態、サスペンド状態の順に状態が移行する（図３の点線矢印）。以下、運転状態からサスペンド状態までの動作を順に説明する。
【００８３】
<運転状態からウエイト状態への移行>
運転状態中に、ユーザーがリモコン（30）の運転ボタン（40）を押すと、リモコン（30）は室内機（20）へ運転停止信号を送信し、その後、室内機（20）は室外機（10）へ運転停止信号を送信する。
【００８４】
室外機（10）では、運転停止信号を受信すると、室外側制御回路（13）が第１室外側電源回路（14）のメインリレー（14b）をオンからオフに切り換える（図６参照）。これにより、ＩＰＭや室外ファンモータへの電力供給が遮断され、電動圧縮機等が停止する。こうして、運転状態からウエイト状態への移行が完了する。
【００８５】
〈ウエイト状態からサスペンド状態への移行〉
ウェイト状態では、まず、リモコン（30）が、所定時間を経過したか否かで、サスペンド状態への移行の可否を判定する。所定時間が経過すると、リモコン（30）はサスペンド状態へ移行可能と判定する。その後、リモコン（30）は室内機（20）へ遮断要求信号を送信し、室内機（20）は室外機（10）へ遮断要求信号を送信する。
【００８６】
室外機（10）では、室外機伝送回路（11）が遮断要求信号を受信すると、室外側制御回路（13）が、リレー（K14R）とリレー（K15R）をオフにする。さらに、室外側制御回路（13）がリレー（K13R）のノーマルクローズ接点と可動接点とが接続された状態にすることで、第２室外側電源回路（12）への電力供給が遮断される（図１参照）。また、電力供給の遮断前に、室外機（10）は室内機（20）へ遮断実施信号を送信し、室内機（20）はリモコン（30）へ遮断実施信号を送信する。
【００８７】
リモコン（30）では、通信部（33）が遮断実施信号を受信すると、制御部（41）が通信部側リレー（36）をオフし、通信部（33）への電力供給が遮断される。また、表示設定部（39）に「表示部（34）をオンする」と設定している場合は、表示部側リレー（37）がオン状態を維持し、表示部（34）への電力供給が維持される。逆に、表示設定部（39）に「表示部（34）をオフする」と設定している場合は、制御部（41）が表示部側リレー（37）をオフし、表示部（34）への電力供給が遮断される。こうして、サスペンド状態への移行が完了する。
【００８８】
〈本実施形態における効果〉
本実施形態によれば、サスペンド状態中における表示部（34）のオン／オフ状態をユーザが表示設定部（39）で予め設定し、オンと設定した場合は、サスペンド状態中に表示部側リレー（37）をオンして表示部（34）をオンし、オフと設定した場合は、サスペンド状態中に表示部側リレー（37）をオフして表示部（34）をオフするようにした。これにより、リモコン（30）では、表示部（34）がオフされている間、消費電力（待機電力）を大幅に低減することができ、その結果、空気調和装置（1）全体の待機電力を低減することができる。
【００８９】
また、本実施形態によれば、室内機（20）から電力供給部（32）へ電力を供給し、その電力供給部（32）から表示部（34）への電力供給を表示部側リレー（37）によってオン／オフするようにした。これにより、制御部（41）等、サスペンド状態中に動作する他の部分へは、電力供給部（32）から電力を供給することができ、サスペンド状態中の必要動作を確保することができる。
【００９０】
また、本実施形態によれば、サスペンド状態中、表示部側リレー（37）がオフ状態の時に、ユーザが操作部（38）の操作ボタン（運転ボタン（39）を含む）の何れかを押すことで、その操作ボタンによる通常動作を行わずに、表示部側リレー（37）をオンして表示部（34）をオンするようにした。これにより、ユーザは操作ボタンによる通常動作を行う前（運転ボタン（40）の場合は運転開始前）に表示部（34）を一旦オンして表示内容を確認することができ、誤操作を防止することができる。
【００９１】
また、本実施形態によれば、サスペンド状態中、表示部側リレー（37）がオフ状態の時に、エラーが発生して通信部（33）がエラー情報を受信すると、表示部側リレー（37）をオンして表示部（34）にエラー情報を表示するようにした。これにより、ユーザはエラー情報を即座に入手することができる。
【００９２】
〈その他の実施形態〉
上記実施形態では、通信部側リレー（36）と表示部側リレー（37）によって、通信部（33）と表示部（34）を別々にオン／オフしているが、１つのリレーで通信部（33）と表示部（34）をまとめてオン／オフしても構わない。
【００９３】
また、上記実施形態では、運転停止動作時に、室内機（20）からの遮断実施信号をリモコン（30）が受信することによって、通信部側リレー（36）と表示部側リレー（37）（オフ設定された場合のみ）がオフされる。しかし、リレー（36,37）をオフするタイミングはこれに限らず、例えば、ユーザが運転ボタン（40）を押してから所定時間が経過した後に、リレー（36,37）をオフするようにしても構わない。
【産業上の利用可能性】
【００９４】
以上説明したように、本発明は、室内の空気を調和する空気調和装置について有用である。
【符号の説明】
【００９５】
1    空気調和装置
10    室外機
20    室内機
30    リモコン（ワイヤードリモコン）
32    電力供給部
34    表示部
37    表示部側リレー（切換部）
39    表示設定部（設定部）
40    運転ボタン
50    商用交流電源（交流電源）
【図１】
2013137113.tif 000003
【図２】
2013137113.tif 000004
【図３】
2013137113.tif 000005
【図４】
2013137113.tif 000006
【図５】
2013137113.tif 000007
【図６】
2013137113.tif 000008
【図７】
2013137113.tif 000009